(57)【要約】【課題】ゲルマニウム特有の効果及びゴム状弾性体の指圧効果によって、病気や症状の改善、健康の増進を図ることができると共に、安価にして使い勝手の良い健康ボールを提供する。【解決手段】半球状又は球状に形成されたゴム状弾性体からなるボール本体２にゲルマニウムＧが混入されてなる。【選択図】図１
0003139177.tif 000002
【実用新案登録請求の範囲】
【請求項１】
半球状又は球状に形成されたゴム状弾性体からなるボール本体の少なくとも球面状表面の全域又は一部にゲルマニウムを有せしめてなる健康ボール。
【請求項２】
半球状又は球状に形成されたゴム状弾性体からなるボール本体にゲルマニウムが混入されてなる健康ボール。
【請求項３】
半球状又は球状に形成されたゴム状弾性体からなるボール本体と、このボール本体の球面状表面全域を所定厚みで覆うように形成されたゴム状弾性体からなる表面側ゲルマニウム層とからなり、表面側ゲルマニウム層にゲルマニウムが混入されてなる健康ボール。
【請求項４】
半球状又は球状に形成されたゴム状弾性体からなるボール本体と、このボール本体の球面部の一部が断面円弧状に切除されて、この断面円弧状切除部分を補完するように形成されたゴム状弾性体からなる断面円弧状ゲルマニウム層とからなり、このゲルマニウム層にゲルマニウムが混入されてなる健康ボール。
【請求項５】
半球状又は球状に形成されたゴム状弾性体からなるボール本体と、このボール本体の球面状表面の全域をシート状に覆うゲルマニウム被覆層とからなり、このゲルマニウム被覆層にゲルマニウムが混入されてなる健康ボール。
【請求項６】
ボール本体が、夫々ゴム状弾性体からなる一対の半球状体からなり、両半球状体の底面には互いに凹凸係合して底面どうしを接合する凹凸係合部が形成されてなる請求項１〜５の何れかに記載の健康ボール。
【請求項７】
ボール本体の球面状表面にイラストからなる装飾部が形成されてなる請求項１〜６の何れかに記載の健康ボール。
【請求項８】
半球状又は球状に形成されたゴム状弾性体からなるボール本体の球面状表面の所要部にイラストからなる装飾部が形成され、この装飾部は、その全部又は一部がゲルマニウムを微粉末化して接着剤に混入したものを塗布することにより形成されてなる健康ボール。
【考案の詳細な説明】
【技術分野】
【０００１】
本考案は、ゲルマニウム効果とボールの弾性による指圧効果を利用した健康ボールに関するものである。
【背景技術】
【０００２】
従来より、ゲルマニウムを利用した健康グッズとして、ゲルマニウム製のブレスレットやネックレス、ゲルマニウムシート、更には肌に塗るゲルマニウムとしてのゲルマニウムクリーム等々種々のものが提供されている。
【考案の開示】
【考案が解決しようとする課題】
【０００３】
ゲルマニウム製のブレスレットやネックレスは、ゲルマニウム効果と装飾効果を有するものであるが、高純度のゲルマニウムをそのまま使用するため非常に高価なものとなり、またゲルマニウムシートは、比較的安価で幅広く使用されているが、ゲルマニウムシート単独では使い勝手が悪く、十分な効果が得られにくいといった問題がある。
【０００４】
本考案は、ゲルマニウム特有の効果及びゴム状弾性体の指圧効果によって、病気や症状の改善、健康の増進を図ることができると共に、安価にして使い勝手の良い健康ボールを提供することを目的とする。
【課題を解決するための手段】
【０００５】
上記課題を解決するための手段を、後述する実施形態の参照番号を付して説明すると、請求項１に係る考案の健康ボールは、半球状又は球状に形成されたゴム状弾性体からなるボール本体２，１２，２２，３２，４２，５２，６２，７２の少なくとも球面状表面の全域又は一部にゲルマニウムＧを有せしめてなることを特徴とする。
【０００６】
請求項２に係る考案の健康ボールは、図１の(a) に示すように、半球状又は球状に形成されたゴム状弾性体からなるボール本体２にゲルマニウムＧが混入されてなることを特徴とする。
【０００７】
請求項３に係る考案の健康ボールは、図１の(b)及び図２の(b)  に示すように、半球状又は球状に形成されたゴム状弾性体からなるボール本体１２と、このボール本体１２の球面状表面全域を所定厚みで覆うように形成されたゴム状弾性体からなる表面側ゲルマニウム層１３とからなり、表面側ゲルマニウム層１３にゲルマニウムＧが混入されてなることを特徴とする。
【０００８】
請求項４に係る考案の健康ボールは、図１の(c) に示すように、半球状又は球状に形成されたゴム状弾性体からなるボール本体２２と、このボール本体２２の球面部の一部が断面円弧状に切除されて、この断面円弧状切除部分を補完するように形成されたゴム状弾性体からなる断面円弧状ゲルマニウム層２３とからなり、このゲルマニウム層２３にゲルマニウムＧ混入されてなることを特徴とする。
【０００９】
請求項５に係る考案の健康ボールは、図２の(a) に示すように、半球状又は球状に形成されたゴム状弾性体からなるボール本体３２と、このボール本体３２の球面状表面の全域をシート状に覆うゲルマニウム被覆層３３とからなり、このゲルマニウム被覆層３３にゲルマニウムが混入されてなることを特徴とする。
【００１０】
請求項６は、２求項１〜５の何れかに記載の健康ボールにおいて、図３、図５に例示するように、ボール本体５２，７２が、夫々ゴム状弾性体からなる一対の半球状体５２ａ，５２ｂ、７２ａ，７２ｂからなり、両半球状体５２ａ，５２ｂ、７２ａ，７２ｂの底面には互いに凹凸係合して底面どうしを接合する凹凸係合部５５，５６、７５，７６が形成されてなることを特徴とする。
【００１１】
請求項７は、請求項１〜５の何れかに記載の健康ボールにおいて、図１、図２に例示するように、ボール本体の球面状表面にイラストからなる装飾部１４，３４，４４が形成されてなることを特徴とする。
【００１２】
請求項８に係る考案の健康ボールは、図４に例示するように、半球状又は球状に形成されたゴム状弾性体からなるボール本体６２の球面状表面の所要部にイラストからなる装飾部６４が形成され、この装飾部６４は、その全部又は一部がゲルマニウムＧを微粉末化して接着剤に混入したものを塗布することにより形成されてなることを特徴とする。
【考案の効果】
【００１３】
上記解決手段による考案の効果を、後述する実施形態の参照番号を付して説明すると、請求項１に係る考案の健康ボールによれば、ゲルマニウム特有の効果とゴム状弾性体からなるボール本体２，１２，２２，３２，４２の指圧効果によって、病気や症状の改善及び健康の増進を図ることができる。また、ゲルマニウムはそのまま使用せず、ボール本体等に混入させているため、製造コストを安くできる。また、ボール本体２，１２，２２，３２，４２は半球状又は球状であるから、使い勝手よく、持ち運びや収納・保管にも便利である。
【００１４】
請求項２に係る考案の健康ボールのように、半球状又は球状に形成されたゴム状弾性体からなるボール本体２にゲルマニウムＧが混入されてなるものでは、製造が簡単となり、コストの低廉化が図られる。
【００１５】
請求項３に係る考案の健康ボールのように、半球状又は球状に形成されたゴム状弾性体からなるボール本体１２と、これを覆うようなゴム状弾性体からなる表面側ゲルマニウム層１３とからなり、表面側ゲルマニウム層１３にゲルマニウムＧが混入されてなるものによれば、ゲルマニウムＧを表面側ゲルマニウム層１３のみに混入すればよいから、ゲルマニウムＧの使用量が少なく、製造コストを安くできる。
【００１６】
請求項４に係る考案の健康ボールのように、半球状又は球状に形成されたゴム状弾性体からなるボール本体２２と、これの球面部の一部が断面円弧状に切除されて、この断面円弧状切除部分を補完するように形成されたゴム状弾性体からなる断面円弧状ゲルマニウム層２３とからなり、このゲルマニウム層２３にゲルマニウムＧ混入されたものによれば、この場合もゲルマニウムＧの使用量を少なくできるから、製造コストを安くできる。
【００１７】
請求項５に係る考案の健康ボールのように、半球状又は球状に形成されたゴム状弾性体からなるボール本体３２と、これの球面状表面全域をシート状に覆うゲルマニウム被覆層３３とからなり、このゲルマニウム被覆層３３にゲルマニウムう混入したものによれば、製造が比較的容易で、ゲルマニウムＧの使用量も少ないため、コストを安くできる。
【００１８】
請求項６に係る考案のように、ボール本体５２が、夫々ゴム状弾性体からなる一対の半球状体５２ａ，５２ｂからなるもので、両半球状体５２ａ，５２ｂの底面に互いに凹凸係合する凹凸係合部５５，５６が形成されたものによれば、両半球状体５１ａ，５１ｂを凹凸係合部５５，５６を介して接合することによって、球状の健康ボールとして使用でき、また両半球状体５１ａ，５１ｂを切り離せば、半球状の健康ボールとして使用することができる。
【００１９】
請求項７に係る考案のように、ボール本体の球面状表面にイラストからなる装飾部１３，３４，４４を形成すれば、装飾効果が発揮されて、商品価値が高められると共に、子供等が喜ぶおもちゃとしても有用となる。
【００２０】
請求項８に係る考案の健康ボールのように、半球状又は球状に形成されたゴム状弾性体からなるボール本体６２の球面状表面の所要部にイラストからなる装飾部６４が形成され、この装飾部６４の全部又は一部がゲルマニウムを微粉末化して接着剤に混入したものを塗布することによって形成されるものによれば、ゲルマニウムを装飾部６４にしか使用しないため、コストを安くできると共に、装飾部６４の装飾効果によって商品価値を高めることができる。
【考案を実施するための最良の形態】
【００２１】
以下に本考案の好適な実施形態について図面を参照しながら説明すると、図１の(a) は本考案に係る健康ボール１を示す縦断面図である。この健康ボール１は、半球状に形成されたゴム状弾性体からなるボール本体２にゲルマニウムＧ（図には点状で示されている）が混入されている。このゴム状弾性体は、常温付近でゴム状弾性を有するエラストマーと言われるもので、例えばウレタンゴム等の合成ゴムによって形成される。このゲルマニウムＧは無機ゲルマニウムである。
【００２２】
この健康ボール１を製造するには、合成ゴムによって半球状のボール本体を成形する際に、溶融合成ゴム材に粉末化したゲルマニウムＧを所要量混入させ、この粉末ゲルマニウムＧを混入した成形材料を成形型に入れることにより、ボール本体２を一体成形することができる。このような健康ボール１によれば、製造が簡単であるから、コストの低廉化を図ることができる。
【００２３】
図１の(b) は本考案に係る他の健康ボール１１を示す一部縦断面正面図である。この健康ボール１１は、半球状に形成されたゴム状弾性体からなるボール本体１２と、このボール本体１２の球面状表面全域を所定の厚みで覆うように形成されたゴム状弾性体からなる表面側ゲルマニウム層１３とからなるもので、表面側ゲルマニウム層１３にゲルマニウムＧが混入されている。ボール本体１２及び表面側ゲルマニウム層１３は夫々合成ゴムによって形成される。
【００２４】
この健康ボール１１の製造にあたっては、溶融合成ゴム材に粉末化したゲルマニウムＧを所要量混入させた成形材料を成形型に入れて表面側ゲルマニウム層１３を成形した後、この表面側ゲルマニウム層１３に、ゲルマニウムＧの混入していない溶融合成ゴム材を流し込むことにより、ゲルマニウムＧの混入した表面側ゲルマニウム層１３の内側に、合成ゴムからなるボール本体１２が表面側ゲルマニウム層１３と一体に形成される。このような健康ボール１１によれば、ゲルマニウムＧを表面側ゲルマニウム層１３のみに混入すればよいから、ゲルマニウムＧの使用量が少なく、製造コストを安くできる。
【００２５】
また、この健康ボール１１には表面側ゲルマニウム層１３の表面所要部に、例えば動物のイラストからなる装飾部１４が印刷されている。このような装飾部１４を形成した健康ボールでは、装飾効果が発揮され、商品価値が高められると共に、子供等が喜ぶおもちゃとしても有用となる。
【００２６】
図１の(c) は、本考案に係る更に他の健康ボール２１を示す縦断面図である。この健康ボール２１は、半球状に形成されたゴム状弾性体からなるボール本体２２と、このボール本体２１の球面部の一部が図示のような断面円弧状に切除されて、この断面円弧状切除部分を補完するように形成されたゴム状弾性体からなる断面円弧状ゲルマニウム層２３とからなり、この断面円弧状ゲルマニウム層２３にゲルマニウムＧが混入されてなるものである。
【００２７】
この健康ボール２１の製造にあたっては、溶融合成ゴム材に粉末化したゲルマニウムＧを所要量混入させた成形材料を、半球状のボール本体成形室（図示せず）内の底部に流し込んで、断面円弧状ゲルマニウム層２３を成形した後、このゲルマニウム層２３の上からゲルマニウムＧの混入していない溶融合成ゴム材を流し込むことによって、ゲルマニウム層２３と一体にボール本体２２を形成することができる。このような健康ボール２１も、ゲルマニウムＧの使用量を少なくできるから、製造コストを安くできる。
【００２８】
図２の(a) は、本考案に係る更に他の健康ボール３１を示す一部縦断面正面図である。この健康ボール３１は、半球状に形成されたゴム状弾性体からなるボール本体３２と、このボール本体３２の球面状表面の全域をシート状に覆うゲルマニウム被覆層３３とからなるもので、このゲルマニウム被覆層３３にゲルマニウムが混入されている。また、ゲルマニウム被覆層３３の表面所要部には例えばアルファベット文字のイラストからなる装飾部３４を形成することによって、商品価値を高めることができると共に、おもちゃとしても有用となる。
【００２９】
この健康ボール３１を製造するには、合成ゴムによって半球状のボール本体３２を形成した後、微粉末化したゲルマニウムを適当な接着剤に混入したものを塗布することによって、ボール本体３２の球面状表面の全域をシート状に覆うゲルマニウム被覆層３３を形成する。そして、その後、ゲルマニウム被覆層３３の表面所要部にイラストの装飾部３４を印刷する。このような健康ボール３１も、製造が比較的容易で、ゲルマニウムＧの使用量も少ないため、コストを安くできる。
【００３０】
図２の(b) は、本考案に係る更に他の健康ボール４１を示す一部断面面正面図である。この健康ボール４１は、球状に形成されたゴム状弾性体からなるボール本体４２と、この球状ボール本体４２の球面状表面全域を所定厚みで覆うように形成されたゴム状弾性体からなる表面側ゲルマニウム層４３とからなり、表面側ゲルマニウム層４３にゲルマニウムＧが混入されたものであり、半球状が球状となっただけで、内部構造的には図１の(b) に示す半球状の健康ボール１１と同様である。また、表面側ゲルマニウム層４３の表面所要部にイラストの装飾部４４が印刷されている。
【００３１】
図３の(a) 及び(b) は、本考案に係る更に他の健康ボール５１を示す縦断面図である。この健康ボール５１は、ボール本体５２が夫々ゴム状弾性体からなる一対の半球状体５１ａ，５１ｂからなり、両半球状体５１ａ，５１ｂの底面には互いに凹凸係合して底面どうしを接合する凹凸係合部５５，５６を形成したものである。
【００３２】
この健康ボール５１は、両半球状体５１ａ，５１ｂを凹凸係合部５５，５６を介して接合することにより、球状の健康ボールとして使用でき、また両半球状体５１ａ，５１ｂを切り離せば、図１の(a) 〜(c) に示す健康ボール１，１１，２１や図２の(a) に示す健康ボール３１と同様な半球状の健康ボールとして使用することができる。
【００３３】
図３に示す健康ボール５１の各半球状体５１ａ，５１ｂの構造については、図１に示される健康ボール１と同じものとしているが、図１の(b) ，(c) に示す健康ボール１１，２１や図２の(a) に示す健康ボール３１のような構造にすることができる。
【００３４】
図４の(a) は本考案に係る更に他の健康ボール６１を示す斜視図、(b) はその縦断面図である。この健康ボール６１は、半球状に形成されたゴム状弾性体からなるボール本体６２の球面状表面の所要部、例えばその頂部側にイラストからなる装飾部６４が形成され、この装飾部６４は、ゲルマニウムＧを微粉末化して接着剤に混入したものを塗布することによって形成されたものである。この装飾部６４は例えばブタの顔のイラストであって、その全部が、微粉末化したゲルマニウムＧを接着剤に混入したものを塗布することによって形成されたものであるが、例えばブタの鼻部分のみ、あるいは耳部分のみを、微粉末ゲルマニウムＧを混入した接着剤によって形成してもよい。
【００３５】
このような健康ボール６１によれば、ゲルマニウムＧを装飾部６４にしか使用しないため、コストを安くできると共に、装飾部６４の装飾効果によって商品価値を高めることができる。
【００３６】
図５の(a) 及び(b) は、本考案に係る更に他の健康ボール７１を示す縦断面図である。この健康ボール７１は、図５に示す健康ボール５１と同様に、ボール本体７２が夫々ゴム状弾性体からなる一対の半球状体７１ａ，７１ｂからなり、両半球状体７１ａ，７１ｂの底面には互いに凹凸係合して底面どうしを接合する凹凸係合部７５，７６を形成したものであって、各半球状体７１ａ，７１ｂの底面に夫々小形状の凹状係合部７５と凸状係合部７６とを形成している点が図５の健康ボール５１とは異る。このような健康ボール７１によれば、各半球状体７１ａ，７１ｂの底面に形成した凹凸係合部７５，７６が小形状であるため、半球状体７１ａ，７１ｂの底面側を床面上に安定良く載置できる上に、各半球状体７１ａ，７１ｂを同じ形状に形成することができ、従って成形型も一種類でよいため、製作コストを安くできる。
【００３７】
尚、図５に示す健康ボール７１は、図２の(a) に示す健康ボール３１の場合と同様に、各半球状体７１ａ，７１ｂの球面状表面全域にゲルマニウム被覆層３３を形成したものであるが、これは一例であって、図１の(a) ，(b) ，(c) に示す健康ボール１，１１，２１や図４に示す健康ボール６１のような構造にしてもよい。
【００３８】
図６の(a) は、図１の(a) 〜(c) に示す健康ボール１，１１，２１や図２の(a) に示す健康ボール３１あるいは図４に示す健康ボール６１のような半球状健康ボールの使用方法を例示したもので、これらの半球状健康ボール１，１１，２１，３１，６１をその底面側を下にして床Ｆに載置し、仰向けに寝ころがって腰の中央部を半球状健康ボール１〜６１に押し付けた状態を示す。半球状健康ボールとしては、図３に示す各半球状体５２ａ，５２ｂや図５に示す各半球状体７２ａ，７２ｂも使用することができる。
【００３９】
この図６の(a) に示すような状態で腰を左右に回転させたり、半球状健康ボール１〜６１に対する腰の押付力を強弱変化させることにより、各ボール本体を形成するゴム状弾性体の弾性作用で使用者の腰の所要箇所に対し指圧効果が発揮されて、腰痛等をやわらげる一方、無機ゲルマニウム効果により、ゲルマニウム電子が腰部内の生体電流に接触して、神経細胞の電位バランスの乱れを正常に戻し、細胞を活性化し、またゲルマニウム電子が体温に反応して、血液中のpHを正常に保ち、そのためコレステロール等、血液中の老廃物の排除を助け、血液を浄化し血行を促進し、腰痛等の症状を取り除くだけでなく、免疫力、自然治癒力を上げる効果も期待できる。
【００４０】
図６の(b) は、図４の(a) の場合と同様に、半球状健康ボール１，１１，２１，３１，６１を床Ｆに載置して、足裏マッサージを行なっている状態を示す。即ち、半球状健康ボール１，１１，２１，３１，６１の上に足を載せて適宜に動かすことによって、ボール本体を形成するゴム状弾性体の弾性作用で足つぼの指圧効果が発揮される。また、ゲルマニウム効果については、図６の(a) で説明したのと同様である。
【００４１】
図７は、図２の(b) や図３、図５に示すような球状健康ボール４１，５１，７１を例えば腰に押し当てて使用している状態を示す。また、腰に限らず、首や腕、太股、その他の必要な箇所に押し付けて使用することができる。
【００４２】
上記健康ボール１，１１，２１，３１，４１，５１，６１，７１のボール本体に含有されるゲルマニウムの効果としては、更に、体のバランスを整え、首や腕や肩などのコリや痛みを取り、それに強い体にしたり、アンチエイジング、若返り効果もある。そして更に、マイナスイオンによるストレスを癒す効果、新陳代謝を良くし、血液をサラサラにし、汚れを取り除いて綺麗にし、貧血、疲れが取れて身体が軽くなるなどの効果がある。
【００４３】
以上、実施形態について説明したが、本考案は、これらの実施形態に限定されるものではなく、請求項１に記載の範囲内での変更が可能である。
【図面の簡単な説明】
【００４４】
【図１】(a) は本考案に係る健康ボールを示す縦断面図、(b) は本考案に係る他の健康ボールを示す一部縦断面正面図、(c) は、本考案に係る更に他の健康ボールを示す縦断面である。
【図２】(a) は、本考案に係る更に他の健康ボールを示す一部縦断面正面図、(b) は更に他の健康ボールを示す一部縦断面正面図である。
【図３】本考案に係る更に他の健康ボールを示すもので、(a) は両半球状体を接合した状態の縦断面図、(b) は両半球状体を切り離した状態の縦断面図である。
【図４】(a) は、本考案に係る更に他の健康ボールを示す斜視図、(b) は縦断面図である。
【図５】図３に示す健康ボールの他の例を示すもので、(a) は両半球状体を接合した状態の縦断面図、(b) は両半球状体を切り離した状態の縦断面図である。
【図６】(a) ，(b) は本考案に係る健康ボールの使用状態を示す説明図である。
【図７】本考案に係る健康ボールの他の使用状態を示す説明図である。
【符号の説明】
【００４５】
１，１１，２１      健康ボール
３１，４１，５１    健康ボール
６１，７１          健康ボール
Ｇ                  ゲルマニウム
２，１２            ボール本体
１３                表面側ゲルマニウム層
１４                装飾部
２２                ボール本体
２３                断面円弧状ゲルマニウム層
３２                ボール本体
３３                ゲルマニウム被覆層
３４                装飾部
４２                ボール本体
４３                表面側ゲルマニウム層
４４                装飾部
５２ａ，５２ｂ      半球状体
５５                凹状係合部
５６                凸状係合部
６２                ボール本体
６４                装飾部
７５                凹状係合部
７６                凸状係合部
【図１】
0003139177.tif 000003
【図２】
0003139177.tif 000004
【図３】
0003139177.tif 000005
【図４】
0003139177.tif 000006
【図５】
0003139177.tif 000007
【図６】
0003139177.tif 000008
【図７】
0003139177.tif 000009